(57)【要約】【課題】  入力端子部と接続手段との接続作業性の向上および接続手段の共通化による汎用性の向上を図ったスピーカ装置およびテレビジョンを得ることを目的とする。【解決手段】  中継用プリント回路基板８は、基板本体８１と、この基板本体８１の左右に穿設され、入力端子６ａ、６ｂの一部が嵌挿される一対の端子孔８２ａ、８２ｂと、この端子孔８２ａ、８２ｂのそれぞれの周囲に形成された端子用ランド８３ａ、８３ｂと、リード線７１ａ、７１ｂを接続するためのリード線用ランドリード線８５ａ、８５ｂと、基板本体８１を、左右に分離可能とするための切断部８６と、を備え、端子孔８２ａ、８２ｂに、入力端子６ａ、６ｂの一部を嵌挿する際、入力端子６ａ、６ｂ間のピッチＬ１と、端子孔８２ａ、８２ｂ間のピッチＬ２が相違し、入力端子６ａ、６ｂが嵌挿できない場合に、基板本体８１を切断部８６により分離する。【選択図】図４
2009177439.tif 000002
【特許請求の範囲】
【請求項１】
入力端子部を有するスピーカと、前記入力端子部と、音声信号を出力する機能を搭載したプリント回路基板との間を接続する接続手段とからなり、前記接続手段は、前記音声信号を出力する機能を搭載したプリント回路基板に一端が接続されたリード線と、このリード線の他端が接続された中継用プリント回路基板とを備え、前記入力端子部は、並設された一対の入力端子を有するスピーカ装置において、
前記中継用プリント回路基板は、基板本体と、この基板本体の左右に穿設され、前記接続端子の一部が嵌挿される一対の端子孔と、この端子孔のそれぞれの周囲に形成された端子用ランドと、前記リード線を接続するためのリード線用ランドと、前記基板本体を、左右に分離可能とするための切断部と、を備え、前記端子孔に、前記入力端子の一部を嵌挿する際、前記入力端子間のピッチと、前記端子孔間のピッチが相違し、前記入力端子が嵌挿できない場合に、前記基板本体を前記切断部により分離することを特徴とするスピーカ装置。
【請求項２】
前記端子部は、前記入力端子を並設する絶縁板を、更に備え、前記スピーカは、本体フレームと、この本体フレームから折り曲げて形成された取付台とを有し、この取付台に前記絶縁板を固着して入力端子部を構成したことを特徴とする請求項１に記載のスピーカ装置。
【請求項３】
前記入力端子は、板状の導電材料を断面Ｌ字状に折り曲げて、前記絶縁板に固着される基部と、前記端子孔に嵌挿される嵌挿部と、この嵌挿部と同一平面状であって、前記基部と前記嵌挿部との間に形成された鍔部とからなり、前記端子孔は、方形状に形成され、当該端子孔に前記入力端子を嵌挿した状態で、前記中継用プリント回路基板を前記鍔部により支持するように構成したことを特徴とする請求項１または請求項２に記載のスピーカ装置。
【請求項４】
前記中継用プリント回路基板は、前記音声信号を出力する機能を搭載したプリント回路基板を構成するプリント回路集合基板のデットスペースに、割り溝部を介して形成し、前記音声信号を出力する機能を搭載したプリント回路基板と、前記接続手段の中継用プリント回路基板とは、予め、リード線により接続し、組み立て時に、前記音声信号を出力する機能を搭載したプリント回路基板と、前記中継用プリント回路基板とを、割り溝部により分離したことを特徴とする請求項１記載のスピーカ装置。
【請求項５】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、前記テレビジョン受信手段からの出力信号に基づいて音声を発するスピーカ装置と、電源部と、全体的な制御を統括して行う制御手段と、これらテレビジョン受信手段、画像表示手段、制御手段および電源部の一部または複数を搭載したプリント回路基板と、これらテレビジョン受信手段、画像表示手段、制御手段、電源部および基板装置を収納するキャビネットと、を備え、前記スピーカ装置は、入力端子部を有するスピーカと、前記入力端子部と、前記テレビジョン受信手段を搭載したプリント回路基板との間を接続する接続手段とからなり、前記接続手段は、前記テレビジョン受信手段を搭載したプリント回路基板に一端が接続されたリード線と、このリード線の他端が接続された中継用プリント回路基板とを備え、前記入力端子部は、並設された一対の入力端子を有するテレビジョンにおいて、
前記中継用プリント回路基板は、基板本体と、この基板本体の左右に穿設され、前記接続端子の一部が嵌挿される一対の端子孔と、この端子孔のそれぞれの周囲に形成された端子用ランドと、前記リード線を接続するためのリード線用ランドと、前記基板本体を、左右に分離可能とするための切断部と、を備え、前記端子孔に、前記入力端子の一部を嵌挿する際、前記入力端子間のピッチと、前記端子孔間のピッチが相違し、前記入力端子が嵌挿できない場合に、前記基板本体を前記切断部により分離することを特徴とするテレビジョン。
【発明の詳細な説明】
【技術分野】
【０００１】
本発明は、スピーカの入力端子部と、このスピーカの入力端子部に音声信号を出力する機能を搭載したプリント回路基板との間を接続する接続手段として、中継用プリント回路基板を用いたスピーカ装置およびテレビジョンに関し、特に、入力端子部と接続手段との接続作業性の向上および接続手段の共通化による汎用性の向上を図ったものである。
【背景技術】
【０００２】
従来では、例えば、液晶型のテレビジョンなどに用いられるスピーカ装置においては、テレビジョン受信手段からの出力信号に基づいて音声を発するように構成されている。そして、テレビジョン受信手段の搭載されたプリント回路基板と、スピーカ装置の入力端子部との間を、直接リード線により接続するようにしたものがある(例えば、特許文献１の従来例参照）。また、このリード線に換えて、スピーカにスプリングコネクタを設け、プリント基板の導体部に押圧するようにしたものがある(例えば、特許文献１参照）。
【０００３】
また、スピーカと、プリント回路基板との接続に、スピーカの入力端子に接続用板材を設け、この接続用板材と、プリント回路基板に固着されたスプリング部材とを接続したものがある(例えば、特許文献２参照）。
【０００４】
更には、プリント回路基板に一条以上の切断用溝部を形成し、主配線用パターンを有する一つ以上の副基板部に区画し、切断用溝部に対峙する各基板部の導電パターンの端部に切断用溝部を跨いで面実装用チップ部品を半田付けするためのランド部を形成したものがある（特許文献３参照）。
【特許文献１】実用新案登録第３０１１６２１号公報
【特許文献２】特開平１０−１７８６９８号公報
【特許文献３】実用新案登録第３１２６６８６号公報
【発明の開示】
【発明が解決しようとする課題】
【０００５】
しかし、前述の特許文献１記載の従来例の構成では、入力端子部と、プリント回路基板とをリード線で直接接続しているので、組み立て時の接続作業性が悪いといった問題があった。また、特許文献１記載の構成では、プリント回路基板の導体部に、スピーカのスプリングコネクタを直接押圧しているので、例えば、テレビジョンの場合、画面サイズに対応してスピーカの大きさが異なるため、画面サイズ毎のスピーカに対応して、プリント回路基板を形成する必要がり、汎用性の点で問題があった。また、特許文献２記載の構成では、スピーカの入力端子に設けられた接続用板材と、プリント回路基板に固着されたスプリング部材とを接続しているので、上述したように、画面サイズ毎のスピーカに対応して、プリント回路基板を形成する必要がり、汎用性の点で問題があった。
【０００６】
更には、特許文献３記載の構成では、筐体のサイズや取付箇所のスペースに適合するように、サイズ変更できるプリント回路基板を得ることはできる。しかしながら、スピーカサイズに関係なく、スピーカに音声信号を伝達する接続手段を得ることはできず、また、中継用プリント回路基板を有する接続手段を用いて、スピーカの入力端子部と、このスピーカの入力端子部に音声信号を出力する機能を搭載したプリント回路基板との間を接続するものではない。
【０００７】
本発明は、上述した問題を解決するためになされたものであり、スピーカの入力端子部と、音声信号を出力する機能を搭載したプリント回路基板との間を接続する接続手段として、入力端子部と接続手段との接続作業性の向上および接続手段の共通化による汎用性の向上を図ったスピーカ装置およびテレビジョンを提供することを目的とする。
【課題を解決するための手段】
【０００８】
かかる目的を達成するため、本発明では、入力端子部を有するスピーカと、入力端子部と、音声信号を出力する機能を搭載したプリント回路基板との間を接続する接続手段とからなり、接続手段は、音声信号を出力する機能を搭載したプリント回路基板に一端が接続されたリード線と、このリード線の他端が接続された中継用プリント回路基板とを備え、入力端子部は、並設された一対の入力端子を有するスピーカ装置において、中継用プリント回路基板は、基板本体と、この基板本体の左右に穿設され、接続端子の一部が嵌挿される一対の端子孔と、この端子孔のそれぞれの周囲に形成された端子用ランドと、リード線を接続するためのリード線用ランドと、基板本体を、左右に分離可能とするための切断部と、を備え、端子孔に、入力端子の一部を嵌挿する際、入力端子間のピッチと、端子孔間のピッチが相違し、入力端子が嵌挿できない場合に、基板本体を切断部により分離する。
【０００９】
この構成によれば、スピーカの入力端子部と、音声信号を出力する機能を搭載したプリント回路基板との間を接続する接続手段の中継用プリント回路基板は、基板本体を、左右に分離可能とするための切断部が設けられている。従って、入力端子部の製作時に、並設された入力端子間のピッチに寸法誤差（ばらつき）が発生し、或いは、対応する画面サイズの違いなどにより、スピーカのサイズが相違し、入力端子間のピッチと、端子孔間のピッチが相違する場合には、接続する際に、基板本体を切断部から切断し、中継用プリント回路基板を左右に分離することができるので、極めて簡単、かつ、正確に、入力端子の接続端子の一部を、端子孔に嵌挿して、スピーカとプリント回路基板との間を接続することができる。この結果、入力端子部と接続手段との接続作業性の向上および接続手段の共通化による汎用性の向上が図れる。
【００１０】
また、本発明においては、端子部は、入力端子を並設する絶縁板を、更に備え、スピーカは、本体フレームと、この本体フレームから折り曲げて形成された取付台とを有し、この取付台に絶縁板を固着して入力端子部を構成する。この構成によれば、入力端子を並設した絶縁板を支持するのに、本体フレームを折り曲げて取付台を形成しているので、絶縁板を支持するために、特別に、別途、取付部材を必要としなく、経済的である。
【００１１】
また、本発明においては、入力端子は、板状の導電材料を断面Ｌ字状に折り曲げて、絶縁板に固着される基部と、端子孔に嵌挿される嵌挿部と、この嵌挿部と同一平面状であって、基部と嵌挿部との間に形成された鍔部とからなり、端子孔は、方形状に形成され、当該端子孔に入力端子を嵌挿した状態で、中継用プリント回路基板を鍔部により支持するように構成する。
【００１２】
この構成によれば、嵌挿部と同一平面状であって、基部と嵌挿部との間に鍔部が形成され、方形状に形成された端子孔に嵌挿部が嵌挿され、この嵌挿した状態で、中継用プリント回路基板は、鍔部により支持されているので、安定した状態で、確実に、中継用プリント回路基板と入力端子部との接続を行うことができ、接続作業効率の向上が図れ、都合がよい。
【００１３】
また、本発明においては、中継用プリント回路基板は、音声信号を出力する機能を搭載したプリント回路基板を構成するプリント回路集合基板のデットスペースに、割り溝部を介して形成し、音声信号を出力する機能を搭載したプリント回路基板と、接続手段の中継用プリント回路基板とは、予め、リード線により接続し、組み立て時に、音声信号を出力する機能を搭載したプリント回路基板と、中継用プリント回路基板とを、割り溝部により分離する。
【００１４】
この構成によれば、中継用プリント回路基板が、音声信号を出力する機能を搭載したプリント回路基板を構成する中継用プリント回路基板のデットスペースに形成され、音声信号を出力する機能を搭載したプリント回路基板と、接続手段の中継用プリント回路基板とは、予め、リード線により接続されている。従って、中継用プリント回路基板は、音声信号を出力する機能を搭載したプリント回路基板を構成するプリント回路集合基板を構成する際に同時に製作することができ、また、予め、所望の接続が行われている。この結果、接続手段の製作時間の短縮が図れる他、組立て時まで、プリント回路基板と接続手段とが一体的に保管および管理することができ、都合がよい。
【００１５】
更に、本発明においては、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示手段と、テレビジョン受信手段からの出力信号に基づいて音声を発するスピーカ装置と、電源部と、全体的な制御を統括して行う制御手段と、これらテレビジョン受信手段、画像表示手段、制御手段および電源部の一部または複数を搭載したプリント回路基板と、これらテレビジョン受信手段、画像表示手段、制御手段、電源部および基板装置を収納するキャビネットと、を備え、スピーカ装置は、入力端子部を有するスピーカと、入力端子部と、テレビジョン受信手段を搭載したプリント回路基板との間を接続する接続手段とからなり、接続手段は、テレビジョン受信手段を搭載したプリント回路基板に一端が接続されたリード線と、このリード線の他端が接続された中継用プリント回路基板とを備え、入力端子部は、並設された一対の入力端子を有するテレビジョンにおいて、中継用プリント回路基板は、基板本体と、この基板本体の左右に穿設され、接続端子の一部が嵌挿される一対の端子孔と、この端子孔のそれぞれの周囲に形成された端子用ランドと、リード線を接続するためのリード線用ランドと、基板本体を、左右に分離可能とするための切断部と、を備え、端子孔に、入力端子の一部を嵌挿する際、入力端子間のピッチと、端子孔間のピッチが相違し、入力端子が嵌挿できない場合に、基板本体を切断部により分離する。
【００１６】
この構成によれば、スピーカと、テレビジョン受信手段を搭載したプリント回路基板との間を接続する接続手段の中継用プリント回路基板は、基板本体を、左右に分離可能とするための切断部が設けられている。従って、入力端子部の製作時に、並設された入力端子間のピッチに寸法誤差（ばらつき）が発生し、或いは、対応する画面サイズの違いなどにより、スピーカのサイズが相違し、スピーカの入力端子間のピッチと、端子孔間のピッチが相違する場合には、接続する際に、基板本体を切断部から切断し、中継用プリント回路基板を左右に分離することができるので、極めて簡単、かつ、正確に、入力端子の一部を、端子孔に嵌挿して、スピーカとプリント回路基板との間を接続することができる。この結果、入力端子部と接続手段との接続作業性の向上および接続手段の共通化による汎用性の向上が図れ、この種テレビジョンのコストダウンができ、都合がよい。
【発明の効果】
【００１７】
本発明によれば、スピーカの入力端子部と、テレビジョン受信手段を搭載したプリント回路基板との間を接続する接続手段として、入力端子部と接続手段との接続作業性の向上および接続手段の共通化による汎用性の向上を図ったスピーカ装置およびテレビジョンを得ることができる。
【発明を実施するための最良の形態】
【００１８】
以下、本発明の一実施形態を図１乃至図１２に基づいて説明する。図１は、本発明の一実施形態に係る基板装置を有する液晶型のテレビジョンの概略構成を示すブロック図、図２は、図１に示す液晶型のテレビジョンの概略構成を示す正面図である。図３は、図２に示すテレビジョンのスピーカ装置を示す正面図、図４は、図３の上面図、図５は、図３の側面図ある。図６は、図３に示す入力端子部を示す正面図、図７は、図６の側面図である。図８は、図４に示す中継用プリント回路基板を拡大して示す上面図である。図９は、プリント基板の一例を示す正面図である。図１０は、基板本体を切断部により分離した状態で使用したスピーカ装置を示す正面図、図１１は、図１０の上面図、図１２は、図１１に示す中継用プリント回路基板を拡大して示す上面図ある。
【００１９】
図１に示すように、例えば、地上デジタルのテレビ放送が受信できる液晶型のテレビジョン１は、テレビジョン受信手段１１と、このテレビジョン受信手段１１からの出力信号に基づいて画像情報を表示する、例えば、液晶表示装置からなる画像表示手段２と、テレビジョン受信手段１１からの出力信号に基づいて音声を発するスピーカを有するスピーカ装置３と、装置の全体的な制御を統括して行う制御手段１２と、各部に電力を供給する電源部１３と、操作パネル１４と、これらテレビジョン受信手段１１、画像表示手段２、スピーカ装置３、制御手段１２および電源部１３などを収納するキャビネット４とから構成されている。これらテレビジョン受信手段１１、画像表示手段２のパネル駆動回路２２およびインバータ回路２３、制御手段１２並びに電源部１３などは、例えば、プリント回路集合基板Ｐ（図９参照）から分離して製作されたメインのプリント回路基板５に搭載されている。
【００２０】
液晶型のテレビジョン１は、例えば、図２に示す厚みの薄い略矩形状のキャビネット４により構成されている。キャビネット４は、例えば、スタンド機構１７などにより略鉛直（垂直）に正立され、その正面側に矩形状の開口４１が設けられている。開口４１には、画像情報を表示する表示手段である、画像表示手段２の表示面である液晶パネル２１が嵌め込まれ、この液晶パネル２１において映像などの画像を表示することが可能となっている。また、例えば、画像表示手段２の下方には、スピーカ装置３が配設され、本実施形態では、キャビネット４が、スピーカ装置３のキャビネットを兼ねている。
【００２１】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Ｔｒａｎｓｐｏｒｔ  Ｓｔｒｅａｍ）デコーダー１１３と、映像データを復号して映像信号を出力するビデオデコーダー１１４と、音声データを復号して音声信号を出力するオーディオデコーダー１１５とから構成されている。
【００２２】
画像表示手段２である液晶表示装置は、液晶パネル２１と、パネル駆動回路２２と、バックライト装置２３と、インバータ回路２４とから構成されている。パネル駆動回路２２は、ビデオデコーダー１１４から入力されたＲＧＢ信号に基づき、液晶パネル２１の画素数（横縦比・ｍ：ｎ）に合わせたスケーリング処理を行い、液晶パネル２１に表示する１画面分の画像データを生成する。そして、この生成された画像データを液晶パネル２１に出力する。バックライト装置２３は、液晶パネル２１の背面に設置され、蛍光ランプなどからなる光源部を備え、液晶パネル２１の背面から光を照射する。インバータ回路２４は、例えば、整流器や昇圧用の変圧器などを備え、電源部１３から供給された直流電圧を、所望の高周波数の交流電圧に変換するとともに、昇圧し、当該交流電圧をバックライト装置２３の光源部に給電し、光源部を点灯させる。
【００２３】
制御手段１２は、装置の全体的な制御を統括して行うマイクロコンピュータ（マイクロコントローラ）から構成されている。この制御手段１２には、作業用のメモリ空間を提供するＲＡＭ（Ｒａｎｄｏｍ  Ａｃｃｅｓｓ  Ｍｅｍｏｒｙ）１５と、制御プログラムや制御データが格納される不揮発性メモリ１６などが接続されている。操作パネル１４には、複数の操作ボタンやリモコン受信部１４１が設けられ外部からの指示操作を受け付けるように構成されている。これにより、制御手段１２は、操作パネル１４およびリモコン受信部１４１を介してリモコンＲから入力される種々のコマンド信号に応じて各部に制御信号を発して所定の動作を行わせる。なお、ＲＡＭ１５や不揮発性メモリ１６はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（“ａｆｆｉｌｉａｔｉｏｎ  ｉｄ”と記述される）、１ｃｈ〜１２ｃｈの選局番号のうち放送局により割り当て用として推奨され選局番号を示すリモコンキーＩＤ（“ｒｅｍｏｔｅ  ｃｏｎｔｒｏｌ  ｋｅｙ  ｉｄ"と記述される）などがある。そして、これらのデータは、ＴＳデコーダー１１３においてデコードされて制御手段１２へ送られるようになっている。
【００２４】
かかる構成により、ユーザは、例えば、キャビネット４に設けられた操作パネル１４或いはリモコンＲを操作し、所望のチャンネルに合わせることにより、画像表示手段２である液晶表示装置の液晶パネル２１に表示される画像を観ることができ、同時にスピーカ装置３から音声を聴くことができる。
【００２５】
而して、本発明に従い、上述のスピーカ装置３は、図３乃至図５に示すように、スピーカ３１と、このスピーカ３１の入力端子部６と、この入力端子部６に音声信号を出力する機能、例えば、上述のテレビジョン受信手段１１を搭載したメインのプリント回路基板５との間を接続する接続手段７とから構成されている。スピーカ３１は、本体フレーム３２と、この本体フレーム３２から折り曲げて形成された取付台３３と、取付フランジ３４などから構成されている。
【００２６】
入力端子部６は、図６および図７に示すように、一対の入力端子６ａ、６ｂを絶縁板６１の上に並設して形成されている。入力端子６ａ、６ｂは、例えば、板状の導電材料を断面Ｌ字状に折り曲げて、絶縁板６１に固着される基部６２ａ、６２ｂと、後述する接続手段７の中継用プリント回路基板８に穿設された端子孔８２ａ、８２ｂ、に嵌挿される嵌挿部６３ａ、６３ｂと、この嵌挿部６３ａ、６３ｂと同一平面状であって、基部６２ａ、６２ｂと嵌挿部６３ａ、６３ｂとの間に形成された鍔部６４ａ、６４ｂとをから構成されている。この入力端子部６は、本体フレーム３２から折り曲げて形成された取付台３３に絶縁板６１を固着して構成されている。また、スピーカ３１と、入力端子部６とは、リード線３５により電気的に接続されている。
【００２７】
接続手段７は、図８および図９に示すように、音声信号を出力する機能、例えば、テレビジョン受信手段１１を搭載したメインのプリント回路基板５に一端が接続されたリード線７１ａ、７１ｂと、このリード線７１ａ、７１ｂの他端が接続された中継用プリント回路基板８とから構成されている。この中継用プリント回路基板８は、前述の鍔部６４ａ、６４ｂにより支持される。
【００２８】
中継用プリント回路基板８は、基板本体８１と、この基板本体８１の左右に穿設され、入力端子６ａ、６ｂの一部、即ち、嵌挿部６３ａ、６３ｂが嵌挿される、例えば、方形状の一対の端子孔８２ａ、８２ｂと、この端子孔８２ａ、８２ｂのそれぞれの周囲に形成された端子用ランド８３ａ、８３ｂと、リード線７１ａ、７１ｂを挿通するためのリード線孔８４ａ、８４ｂと、このリード線孔８４ａ、８４ｂのそれぞれの周囲に形成されたリード線用ランド８５ａ、８５ｂと、基板本体８１を、左右に分離可能とするための切断部８６とから構成されている。切断部８６は、例えば、図８において、上下方向からの切り込み溝８７と、中間部分に設けられたミシン目８８により形成されている。切断部８６は、これら切り込み溝８７やミシン目８８に換えて、図示しないが、基板本体８１の両面にＶ字溝、Ｕ字溝などの切断溝としても、或いは、これらを切り込み溝８７、ミシン目８８や切断溝を適宜併用しても良いのは勿論である。
【００２９】
中継用プリント回路基板８は、図９に示すように、音声信号を出力する機能、例えば、テレビジョン受信手段１１を搭載したメインのプリント回路基板５を構成するプリント回路集合基板Ｐのデットスペースに、割り溝部５１を介して形成し、音声信号を出力する機能を搭載したメインのプリント回路基板５と、接続手段７の中継用プリント回路基板８とは、予め、リード線７１ａ、７１ｂにより接続し、組み立て時に、メインのプリント回路基板５と、中継用プリント回路基板８とを、割り溝部５１により分離可能に構成されている。割り溝部５１は、切り込み溝、ミシン目やＶ字溝、Ｕ字溝などの切断溝などを適宜組み合わせて形成すればよい。また、プリント回路集合基板Ｐのデットスペースには、例えば、赤外線センサなどを備えたリモコン受信部１４１を搭載した受信用プリント回路基板５２が形成されている。このようにすれば、プリント回路集合基板Ｐのデットスペースの有効利用が図れ、捨て基板の削減が図れるので、都合がよい。プリント回路集合基板Ｐは、組立て時まで、メインのプリント回路基板５、中継用プリント回路基板８および受信用プリント回路基板５２を分離しないで、図９に示すような状態で、各種電子部品が実装され、また、電気的な接続、例えば、リード線７１ａ、７１ｂの半田付けによる接続作業が行われ、そして保管される。なお、図示する例では、プリント回路集合基板Ｐは、スピーカ装置３を左右に各一台用いるために、中継用プリント回路基板８を２組備えている。
【００３０】
そして、組立工程において、例えば、スピーカ３１をキャビネット４内に、組み込み、中継用プリント回路基板８の端子孔８２ａ、８２ｂに、入力端子６ａ、６ｂの嵌挿部６３ａ、６３ｂを嵌挿する。このとき、入力端子６ａ、６ｂ間のピッチＬ１と、端子孔８２ａ、８２ｂ間のピッチＬ２が略同じで、その状態でスムースに入力端子６ａ、６ｂを端子孔８２ａ、８２ｂ嵌挿できる場合には、中継用プリント回路基板８を、図８に示す状態で使用し、図４に示すような状態に、入力端子６ａ、６ｂの嵌挿部６３ａ、６３ｂに嵌挿し装着する。その後、半田付けにより、入力端子６ａ、６ｂと、端子用ランド８３ａ、８３ｂを接続する。
【００３１】
仮に、入力端子部６の製作誤差や、スピーカ３１のサイズの相違などにより、入力端子６ａ、６ｂ間のピッチＬ１と、端子孔６３ａ、６３ｂ間のピッチＬ２が相違し、入力端子６ａ、６ｂが嵌挿できない場合には、図１２に示すように、基板本体８１を切断部８６により分離する。その後、図１１に示すように、分離した中継用プリント回路基板片８ａ、８ｂの端子孔８２ａ、８２ｂを、それぞれに入力端子６ａ、６ｂに嵌挿し装着する。その後、上述の場合と同様、半田付けにより、入力端子６ａ、６ｂと、端子用ランド８３ａ、８３ｂと接続する。
【００３２】
以上の構成による本実施形態によれば、スピーカ３１の入力端子部６と、音声信号を出力する機能を搭載したメインのプリント回路基板５との間を接続する接続手段７の中継用プリント回路基板８は、基板本体８１を、左右に分離可能とするための切断部８６が設けられている。従って、入力端子部６の製作時に、並設された入力端子６ａ、６ｂ間のピッチＬ１に寸法誤差（ばらつき）が発生し、或いは、対応する画面サイズの違いなどにより、スピーカ３１のサイズが相違し、入力端子６ａ、６ｂ間のピッチＬ１と、端子孔８２ａ、８２ｂ間のピッチＬ２が相違する場合には、接続する際に、基板本体８１を切断部８６から切断し、中継用プリント回路基板８を左右に分離することができるので、極めて簡単、かつ、無理なく正確に、入力端子６ａ、６ｂの嵌挿部６３ａ、６３ｂを、端子孔８２ａ、８２ｂに嵌挿して、スピーカ３１とメインのプリント回路基板５との間を接続することができる。この結果、入力端子部６と接続手段７との接続作業性の向上および接続手段７の共通化による汎用性の向上が図れる。
【００３３】
また、本実施形態によれば、入力端子６ａ、６ｂを並設した絶縁板６１を支持するのに、本体フレーム３２を折り曲げて取付台３３を形成しているので、絶縁板６１を支持するために、特別に、別途、取付部材を必要としなく、経済的である。
【００３４】
また、本実施形態によれば、嵌挿部６３ａ、６３ｂと同一平面状であって、基部６２ａ、６２ｂと嵌挿部６３ａ、６３ｂとの間に鍔部６４ａ、６４ｂが形成され、方形状に形成された端子孔８２ａ、８２ｂに嵌挿部６３ａ、６３ｂが嵌挿され、この嵌挿した状態で、中継用プリント回路基板８は、鍔部６４ａ、６４ｂにより支持されているので、安定した状態で、確実に、中継用プリント回路基板８と入力端子部６との接続を行うことができ、接続作業効率の向上が図れ、都合がよい。
【００３５】
また、本実施形態によれば、中継用プリント回路基板８が、音声信号を出力する機能を搭載したプリント回路基板５を構成するプリント回路集合基板Ｐのデットスペースに形成され、音声信号を出力する機能を搭載したプリント回路基板５と、接続手段７の中継用プリント回路基板８とは、予め、リード線７１ａ、７１ｂにより接続されている。従って、中継用プリント回路基板８は、音声信号を出力する機能を搭載したプリント回路基板５を構成するプリント回路集合基板Ｐを構成する際に同時に製作することができ、また、予め、所望の接続が行われている。この結果、接続手段７の製作時間の短縮が図れる他、組立て時まで、プリント回路基板５と接続手段７とが一体的に保管および管理することができ、都合がよい。
【００３６】
更に、本実施形態によれば、スピーカ３１と、テレビジョン受信手段１１を搭載したプリント回路基板５を接続する接続手段７の中継用プリント回路基板８は、基板本体８１を、左右に分離可能とするための切断部８６が設けられている。従って、入力端子部６の製作時に、並設された入力端子６ａ、６ｂ間のピッチＬ１に寸法誤差（ばらつき）が発生し、或いは、対応する画面サイズの違いなどにより、スピーカ３１のサイズが相違し、スピーカ３１の入力端子６ａ、６ｂ間のピッチＬ１と、端子孔８２ａ、８２ｂ間のピッチＬ２が相違する場合には、接続する際に、基板本体８１を切断部８６から切断し、中継用プリント回路基板８を左右に分離することができるので、極めて簡単、かつ、無理なく正確に、入力端子６ａ、６ｂの一部を、端子孔８２ａ、８２ｂに嵌挿して、スピーカ３１と、メインのプリント回路基板５との間を接続することができる。この結果、入力端子部６と接続手段７との接続作業性の向上および接続手段７の共通化による汎用性の向上が図れ、この種テレビジョン１のコストダウンができ、都合がよい。
【００３７】
なお、上述した各実施形態は、本発明の好適な実施例であるが、本発明はこれに限定されるものではなく、本発明の要旨を逸脱しない範囲において、種々変形実施可能である。
【００３８】
例えば、上述した実施形態では、スピーカ装置３を、液晶型のテレビジョン１に用いた場合について詳述したが、他の薄型のテレビジョンや、オーディオのスピーカ装置に本発明を適用してもよいのは、勿論である。
【図面の簡単な説明】
【００３９】
【図１】本発明の一実施形態に係る基板装置を有する液晶型のテレビジョンの概略構成を示すブロック図である。
【図２】図１に示す液晶型のテレビジョンの概略構成を示す正面図である。
【図３】図２に示すテレビジョンのスピーカ装置を示す正面図である。
【図４】図３の上面図である。
【図５】図３の側面図である。
【図６】図３に示す入力端子部を示す正面図である。
【図７】図６の側面図である。
【図８】図４に示す中継用プリント回路基板を拡大して示す上面図である。
【図９】プリント回路集合基板の一例を示す正面図である。
【図１０】基板本体を切断部により分離した状態で使用したスピーカ装置を示す正面図である。
【図１１】図１０の上面図である。
【図１２】図１０に示す中継用プリント回路基板を拡大して示す上面図である。
【符号の説明】
【００４０】
１      液晶型のテレビジョン
１１    テレビジョン受信手段
３      スピーカ装置
３１    スピーカ
３２    本体フレーム
３３    取付台
５      メインのプリント回路基板
５１    割り溝部
６      入力端子部
６ａ    入力端子
６ｂ    入力端子
６１    絶縁板
６２ａ  基部
６２ｂ  基部
６３ａ  嵌挿部
６３ｂ  嵌挿部
６４ａ  鍔部
６４ｂ  鍔部
７      接続手段
７１ａ  リード線
７１ｂ  リード線
８      中継用プリント回路基板
８１    基板本体
８２ａ  端子孔
８２ｂ  端子孔
８３ａ  端子用ランド
８３ｂ  端子用ランド
８５ａ  リード線用ランド
８５ｂ  リード線用ランド
８６    切断部
Ａ      アンテナ
Ｐ      プリント回路集合基板
Ｌ１    ピッチ（入力端子間）
Ｌ２    ピッチ（端子孔間）
【図１】
2009177439.tif 000003
【図２】
2009177439.tif 000004
【図３】
2009177439.tif 000005
【図４】
2009177439.tif 000006
【図５】
2009177439.tif 000007
【図６】
2009177439.tif 000008
【図７】
2009177439.tif 000009
【図８】
2009177439.tif 000010
【図９】
2009177439.tif 000011
【図１０】
2009177439.tif 000012
【図１１】
2009177439.tif 000013
【図１２】
2009177439.tif 000014